(57)【特許請求の範囲】
【請求項１】
電力系統から供給される交流電力を直流電力に変換して蓄電池を充電する機能と、前記蓄電池から放出される直流電力を交流電力に変換して交流電力を前記電力系統に放出する機能とを有する充放電装置であって、
前記電力系統から供給される交流電力を直流電力に変換する機能と前記蓄電池から放出される直流電力を交流電力に変換する機能とを有する電力変換部と、
前記蓄電池の充電と放電とのうちの一方又は双方についての前記電力変換部によって行われる運転のスケジュールであってユーザが前記充放電装置に入力する前記スケジュールを受け付けるスケジュール受付部と、
前記充放電装置の外部の制御装置から出力される前記運転に関連する指令を受け取る指令受取部と、
前記スケジュール受付部によって受け付けられる前記スケジュールをもとに前記運転を制御する機能と、前記指令受取部によって受け取られる前記指令をもとに前記運転を制御する機能とを有する制御部と、
前記指令受取部によって受け取られる前記指令を有効とする指示である有効指示、又は前記指令を無効とする指示である無効指示を受け付ける有効無効受付部と、
前記スケジュール受付部によって受け付けられる前記スケジュールと前記指令受取部によって受け取られる前記指令とのうちのいずれを優先するのかを示す指示を受け付ける優先受付部と、
前記有効無効受付部によって受け付けられた指示が前記有効指示と前記無効指示とのうちのいずれであるのかを判断し、前記優先受付部によって受け付けられた指示が前記スケジュールと前記指令とのうちのいずれを優先する指示であるのかを判断し、前記運転の状態が前記指令受取部によって受け取られた前記指令をもとに行われている運転の状態であるか否かを判断する判断部とを備え、
前記判断部は、前記有効無効受付部によって受け付けられた指示が前記有効指示であって、前記優先受付部によって受け付けられた指示が前記スケジュールを優先する指示であって、現在の前記運転の状態が前記指令をもとに行われている運転の状態でないと判断した場合、前記スケジュールが有効であると判断し、
前記判断部は、前記有効無効受付部によって受け付けられた指示が前記有効指示であって、前記優先受付部によって受け付けられた指示が前記スケジュールを優先する指示であって、前回の前記運転の状態が前記スケジュールをもとに行われた運転の状態であったと判断した場合、前記指令受取部が前記運転を停止させる指令を受け取ったとき、前記スケジュールが有効であると判断し、
前記制御部は、前記スケジュールが有効であると前記判断部によって判断された場合、前記スケジュール受付部が受け付けた前記スケジュールをもとに前記運転を制御する
ことを特徴とする充放電装置。
【請求項２】
前記指令受取部が充電又は放電についての運転に関連する指令を受け取った場合、
前記判断部は、
前記有効無効受付部によって受け付けられた指示が前記有効指示であって、前記優先受付部によって受け付けられた指示が前記スケジュールを優先する指示であって、現在の前記運転の状態が前記スケジュール受付部によって受け付けられた前記スケジュールをもとに行われている運転の状態であると判断したとき、前記指令が有効であると判断し、
前記有効無効受付部によって受け付けられた指示が前記有効指示であって、前記優先受付部によって受け付けられた指示が前記スケジュールを優先する指示であって、現在の前記運転の状態が前記スケジュール受付部によって受け付けられた前記スケジュールをもとに行われている運転の状態でないと判断したとき、前記指令が無効であると判断し、
前記有効無効受付部によって受け付けられた指示が前記有効指示であって、前記優先受付部によって受け付けられた指示が前記指令を優先する指示であると判断したとき、前記指令が有効であると判断し、
前記有効無効受付部によって受け付けられた指示が前記無効指示であると判断したとき、前記指令が無効であると判断し、
前記制御部は、
前記有効無効受付部によって受け付けられた指示が前記有効指示であって、前記優先受付部によって受け付けられた指示が前記スケジュールを優先する指示であって、現在の前記運転の状態が前記スケジュール受付部によって受け付けられた前記スケジュールをもとに行われている運転の状態であると前記判断部によって判断されたとき、前記運転を停止させ、
前記有効無効受付部によって受け付けられた指示が前記有効指示であって、前記優先受付部によって受け付けられた指示が前記スケジュールを優先する指示であって、現在の前記運転の状態が前記スケジュール受付部によって受け付けられた前記スケジュールをもとに行われている運転の状態でないと前記判断部によって判断されたとき、前記運転を停止させ、
前記有効無効受付部によって受け付けられた指示が前記無効指示であると判断したとき、前記スケジュール受付部によって受け付けられた前記スケジュールをもとに前記運転を制御し、
前記指令が有効であると前記判断部によって判断された場合、前記指令をもとに前記運転を制御する
ことを特徴とする請求項１に記載の充放電装置。
【請求項３】
前記有効無効受付部が受け付ける指示と前記優先受付部が受け付ける指示とを前記充放電装置に入力するユーザを制限する制限部
を更に備えることを特徴とする請求項１又は２に記載の充放電装置。
【請求項４】
電力系統から供給される交流電力を直流電力に変換して車両に搭載されている蓄電池を充電する機能と、前記蓄電池から放出される直流電力を交流電力に変換して交流電力を前記電力系統に放出する機能とを有する充放電装置であって、
前記電力系統から供給される交流電力を直流電力に変換する機能と前記蓄電池から放出される直流電力を交流電力に変換する機能とを有する電力変換部と、
前記蓄電池の充電と放電とのうちの一方又は双方についての前記電力変換部によって行われる運転のスケジュールであってユーザが前記充放電装置に入力する前記スケジュールを受け付けるスケジュール受付部と、
前記充放電装置の外部の制御装置から出力される前記運転に関連する指令を受け取る指令受取部と、
前記スケジュール受付部によって受け付けられる前記スケジュールをもとに前記運転を制御する機能と、前記指令受取部によって受け取られる前記指令をもとに前記運転を制御する機能とを有する制御部と、
前記指令受取部によって受け取られる前記指令を有効とする指示である有効指示、又は前記指令を無効とする指示である無効指示を受け付ける有効無効受付部と、
前記スケジュールとは別の、前記運転に関連する前記ユーザの操作を受け付ける操作受付部と、
前記有効無効受付部によって受け付けられた指示が前記有効指示と前記無効指示とのうちのいずれであるのかを判断し、前記運転の状態が前記操作受付部によって受け付けられた前記ユーザの操作をもとに行われている運転の状態であるか否かを判断し、前記車両と前記充放電装置とが接続されているか否かを判断する判断部とを備え、
前記判断部は、前記指令受取部が前記指令を受け取った後に、
（１）前記有効無効受付部によって受け付けられた指示が前記有効指示であって、現在の前記運転の状態が前記ユーザの操作をもとに行われている運転の状態でなく、前記車両と前記充放電装置とが接続されていると判断した場合、前記指令が有効であると判断し、
（２）前記有効無効受付部によって受け付けられた指示が前記有効指示であって、現在の前記運転の状態が前記ユーザの操作をもとに行われている運転の状態でなく、前記車両と前記充放電装置とが接続されていないと判断した場合、前記指令が無効であると判断し、
（３）前記有効無効受付部によって受け付けられた指示が前記有効指示であって、現在の前記運転の状態が前記ユーザの操作をもとに行われている運転の状態であると判断した場合、前記指令が無効であると判断し、
（４）前記有効無効受付部によって受け付けられた指示が前記無効指示であると判断した場合、前記指令が無効であると判断し、
前記制御部は、
前記指令が有効であると前記判断部によって判断された場合、前記指令受取部が受け取った前記指令をもとに前記運転を制御し、
前記指令が無効であって現在の前記運転の状態が前記ユーザの操作をもとに行われている運転の状態であると前記判断部によって判断された場合、前記ユーザの操作をもとに行われている運転を継続させ、
前記指令が無効であって現在の前記運転の状態が前記スケジュール受付部によって受け付けられた前記スケジュールをもとに行われている運転の状態であると前記判断部によって判断された場合、前記スケジュールをもとに行われている運転を継続させ、
前記指令が無効であって現在の前記運転の状態が停止の状態であると前記判断部によって判断された場合、前記運転を停止させる
ことを特徴とする充放電装置。
【請求項５】
前記蓄電池が蓄えておく必要がある電力の下限を示す情報を受け付ける下限受付部と、
前記蓄電池が蓄えている電力の量を確認する量確認部とを更に備え、
前記制御部は、前記指令をもとに前記放電についての運転が行われている場合、前記量確認部によって確認された量が前記下限受付部によって受け付けられた前記情報が示す前記下限以下であって、かつ運転状態が放電であるとき、前記指令をもとにする前記運転を停止させる
ことを特徴とする請求項４に記載の充放電装置。
【請求項６】
前記有効無効受付部が受け付ける指示を前記充放電装置に入力するユーザを制限する制限部
を更に備えることを特徴とする請求項４又は５に記載の充放電装置。
【請求項７】
電力系統から供給される交流電力を直流電力に変換して蓄電池を充電する充電ステップと、
前記蓄電池から放出される直流電力を交流電力に変換して交流電力を前記電力系統に放出する放電ステップと、
前記蓄電池の充電と放電とのうちの一方又は双方についての運転のスケジュールであってユーザが充放電装置に入力する前記スケジュールを受け付けるスケジュール受付ステップと、
前記充放電装置の外部の制御装置から出力される前記運転に関連する指令を受け取る指令受取ステップと、
前記スケジュール受付ステップにおいて受け付ける前記スケジュールをもとに前記運転を制御する、又は前記指令受取ステップにおいて受け取る前記指令をもとに前記運転を制御する制御ステップと、
前記指令受取ステップにおいて受け取る前記指令を有効とする指示である有効指示、又は前記指令を無効とする指示である無効指示を受け付ける有効無効受付ステップと、
前記スケジュール受付ステップにおいて受け付ける前記スケジュールと前記指令受取ステップにおいて受け取る前記指令とのうちのいずれを優先するのかを示す指示を受け付ける優先受付ステップと、
前記有効無効受付ステップにおいて受け付けた指示が前記有効指示と前記無効指示とのうちのいずれであるのかを判断し、前記優先受付ステップにおいて受け付けた指示が前記スケジュールと前記指令とのうちのいずれを優先する指示であるのかを判断し、前記運転の状態が前記指令受取ステップにおいて受け取った前記指令をもとに行われている運転の状態であるか否かを判断する判断ステップとを含み、
前記判断ステップでは、
前記有効無効受付ステップにおいて受け付けた指示が前記有効指示であって、前記優先受付ステップにおいて受け付けた指示が前記スケジュールを優先する指示であって、現在の前記運転の状態が前記指令をもとに行われている運転の状態でないと判断した場合、前記スケジュールが有効であると判断し、
前記有効無効受付ステップにおいて受け付けた指示が前記有効指示であって、前記優先受付ステップによって受け付けた指示が前記スケジュールを優先する指示であって、前回の前記運転の状態が前記スケジュールをもとに行われた運転の状態であったと判断した場合、前記指令受取ステップにおいて前記運転を停止させる指令を受け取ったとき、前記スケジュールが有効であると判断し、
前記制御ステップでは、前記スケジュールが有効であると前記判断ステップにおいて判断した場合、前記スケジュール受付ステップにおいて受け付けた前記スケジュールをもとに前記運転を制御する
ことを特徴とする充放電方法。
【請求項８】
電力系統から供給される交流電力を直流電力に変換して車両に搭載されている蓄電池を充電する充電ステップと、
前記蓄電池から放出される直流電力を交流電力に変換して交流電力を前記電力系統に放出する放電ステップと、
前記蓄電池の充電と放電とのうちの一方又は双方についての運転のスケジュールであってユーザが充放電装置に入力する前記スケジュールを受け付けるスケジュール受付ステップと、
前記充放電装置の外部の制御装置から出力される前記運転に関連する指令を受け取る指令受取ステップと、
前記スケジュール受付ステップにおいて受け付ける前記スケジュールをもとに前記運転を制御する、又は前記指令受取ステップにおいて受け取る前記指令をもとに前記運転を制御する制御ステップと、
前記指令受取ステップにおいて受け取る前記指令を有効とする指示である有効指示、又は前記指令を無効とする指示である無効指示を受け付ける有効無効受付ステップと、
前記スケジュールとは別の、前記運転に関連する前記ユーザの操作を受け付ける操作受付ステップと、
前記有効無効受付ステップにおいて受け付けた指示が前記有効指示と前記無効指示とのうちのいずれであるのかを判断し、前記運転の状態が前記操作受付ステップにおいて受け付けた前記ユーザの操作をもとに行われている運転の状態であるか否かを判断し、前記車両と前記充放電装置とが接続されているか否かを判断する判断ステップとを含み、
前記判断ステップでは、前記指令受取ステップにおいて前記指令を受け取った後に、
（１）前記有効無効受付ステップにおいて受け付けた指示が前記有効指示であって、現在の前記運転の状態が前記ユーザの操作をもとに行われている運転の状態でなく、前記車両と前記充放電装置とが接続されていると判断した場合、前記指令が有効であると判断し、
（２）前記有効無効受付ステップにおいて受け付けた指示が前記有効指示であって、現在の前記運転の状態が前記ユーザの操作をもとに行われている運転の状態でなく、前記車両と前記充放電装置とが接続されていないと判断した場合、前記指令が無効であると判断し、
（３）前記有効無効受付ステップにおいて受け付けられた指示が前記有効指示であって、現在の前記運転の状態が前記ユーザの操作をもとに行われている運転の状態であると判断した場合、前記指令が無効であると判断し、
（４）前記有効無効受付ステップにおいて受け付けた指示が前記無効指示であると判断した場合、前記指令が無効であると判断し、
前記制御ステップでは、
前記指令が有効であると前記判断ステップにおいて判断した場合、前記指令受取ステップにおいて受け取った前記指令をもとに前記運転を制御し、
前記指令が無効であって現在の前記運転の状態が前記ユーザの操作をもとに行われている運転の状態であると前記判断ステップにおいて判断した場合、前記ユーザの操作をもとに行われている運転を継続させ、
前記指令が無効であって現在の前記運転の状態が前記スケジュール受付ステップにおいて受け付けた前記スケジュールをもとに行われている運転の状態であると前記判断ステップにおいて判断した場合、前記スケジュールをもとに行われている運転を継続させ、
前記指令が無効であって現在の前記運転の状態が停止の状態であると前記判断ステップにおいて判断した場合、前記運転を停止させる
ことを特徴とする充放電方法。
【発明の詳細な説明】
【技術分野】
【０００１】
本開示は、電力系統から供給される交流電力をもとに蓄電池を充電して蓄電池から放出される直流電力をもとに交流電力を電力系統に放出する充放電装置及び充放電方法に関する。
【背景技術】
【０００２】
従来、電力系統から供給される交流電力をもとに蓄電池を充電し、蓄電池から放出される直流電力をもとに交流電力を電力系統に放出する充放電装置が知られている（例えば、特許文献１参照）。従来の充放電装置は、外部の制御装置から出力される指令であって蓄電池の充電又は放電についての運転に関連する指令を受け取ると、指令を有効とする設定が与えられている場合に当該指令をもとに運転を行い、指令を無効とする設定が与えられている場合にユーザが充放電装置に入力したスケジュールをもとに運転を行う。
【先行技術文献】
【特許文献】
【０００３】
【特許文献１】特開２０１４−２３３１１６号公報
【発明の概要】
【発明が解決しようとする課題】
【０００４】
従来の充放電装置は、指令を有効とする設定又は指令を無効とする設定をもとに運転を行うが、スケジュールと指令とについての優先順位と、現在又は前回の運転の状況とをもとに、スケジュールを有効にするか無効にするかを判断して動作しない。スケジュールと指令とについての優先順位と現在又は前回の運転の状況とをもとにスケジュールを有効にするか無効にするかを判断して動作する充放電装置が要求されている。【０００５】
本開示は、上記に鑑みてなされたものであって、スケジュールと指令とについての優先順位と現在又は前回の運転の状況とをもとにスケジュールを有効にするか無効にするかを判断して動作する充放電装置を得ることを目的とする。
【課題を解決するための手段】
【０００６】
上述した課題を解決し、目的を達成するために、本開示にかかる充放電装置は、電力系統から供給される交流電力を直流電力に変換して蓄電池を充電する機能と、蓄電池から放出される直流電力を交流電力に変換して交流電力を電力系統に放出する機能とを有する。充放電装置は、電力系統から供給される交流電力を直流電力に変換する機能と蓄電池から放出される直流電力を交流電力に変換する機能とを有する電力変換部と、蓄電池の充電と放電とのうちの一方又は双方についての電力変換部によって行われる運転のスケジュールであってユーザが充放電装置に入力するスケジュールを受け付けるスケジュール受付部とを有する。充放電装置は、充放電装置の外部の制御装置から出力される運転に関連する指令を受け取る指令受取部と、スケジュール受付部によって受け付けられるスケジュールをもとに運転を制御する機能と、指令受取部によって受け取られる指令をもとに運転を制御する機能とを有する制御部と、指令受取部によって受け取られる指令を有効とする指示である有効指示、又は指令を無効とする指示である無効指示を受け付ける有効無効受付部と、スケジュール受付部によって受け付けられるスケジュールと指令受取部によって受け取られる指令とのうちのいずれを優先するのかを示す指示を受け付ける優先受付部とを更に有する。充放電装置は、有効無効受付部によって受け付けられた指示が有効指示と無効指示とのうちのいずれであるのかを判断し、優先受付部によって受け付けられた指示がスケジュールと指令とのうちのいずれを優先する指示であるのかを判断し、運転の状態が指令受取部によって受け取られた指令をもとに行われている運転の状態であるか否かを判断する判断部を更に有する。判断部は、有効無効受付部によって受け付けられた指示が有効指示であって、優先受付部によって受け付けられた指示がスケジュールを優先する指示であって、現在の運転の状態が指令をもとに行われている運転の状態でないと判断した場合、スケジュールが有効であると判断する。判断部は、有効無効受付部によって受け付けられた指示が有効指示であって、優先受付部によって受け付けられた指示がスケジュールを優先する指示であって、前回の運転の状態がスケジュールをもとに行われた運転の状態であったと判断した場合、指令受取部が運転を停止させる指令を受け取ったとき、スケジュールが有効であると判断する。制御部は、スケジュールが有効であると判断部によって判断された場合、スケジュール受付部が受け付けたスケジュールをもとに運転を制御する。
【発明の効果】
【０００７】
本開示にかかる充放電装置は、スケジュールと指令とについての優先順位と現在又は前回の運転の状況とをもとにスケジュールを有効にするか無効にするかを判断して動作することができるという効果を奏する。
【図面の簡単な説明】
【０００８】
【図１】実施の形態１にかかる充放電装置の構成を示す図
【図２】実施の形態１にかかる充放電装置が行う動作の一部の手順を示す第１のフローチャート
【図３】実施の形態１にかかる充放電装置が行う動作の一部の手順を示す第２のフローチャート
【図４】実施の形態１にかかる充放電装置が行う動作の一部の手順を示す第３のフローチャート
【図５】実施の形態２にかかる充放電装置の構成を示す図
【図６】実施の形態２にかかる充放電装置が行う動作の一部の手順を示す第１のフローチャート
【図７】実施の形態２にかかる充放電装置が行う動作の一部の手順を示す第２のフローチャート
【図８】実施の形態１にかかる充放電装置が有する電力変換部、スケジュール受付部、入力部、指令受取部、制御部、有効無効受付部、優先受付部、管理部、判断部、制限部及び操作受付部の少なくとも一部がプロセッサによって実現される場合のプロセッサを示す図
【図９】実施の形態１にかかる充放電装置が有する電力変換部、スケジュール受付部、入力部、指令受取部、制御部、有効無効受付部、優先受付部、管理部、判断部、制限部及び操作受付部の少なくとも一部が処理回路によって実現される場合の処理回路を示す図
【発明を実施するための形態】
【０００９】
以下に、実施の形態にかかる充放電装置及び充放電方法を図面に基づいて詳細に説明する。
【００１０】
実施の形態１．
まず、実施の形態１にかかる充放電装置１の構成を説明する。図１は、実施の形態１にかかる充放電装置１の構成を示す図である。充放電装置１は、電力系統５１から供給される交流電力を直流電力に変換して蓄電池５２を充電する機能と、蓄電池５２から放出される直流電力を交流電力に変換して交流電力を電力系統５１に放出する機能とを有する。図１には、電力系統５１及び蓄電池５２も示されている。
【００１１】
充放電装置１は、電力系統５１から供給される交流電力を直流電力に変換する機能と蓄電池５２から放出される直流電力を交流電力に変換する機能とを有する電力変換部２を有する。電力変換部２は、交流電力を直流電力に変換する機能と直流電力を交流電力に変換する機能とを有するインバータ２１を有する。電力変換部２は、直流電力の電圧を変更する機能を有するコンバータ２２を更に有する。
【００１２】
充放電装置１は、蓄電池５２の充電と放電とのうちの一方又は双方についての運転のスケジュールを受け付けるスケジュール受付部３を更に有する。上記の運転は、電力変換部２によって行われる。上記のスケジュールは、ユーザが充放電装置１に入力するスケジュールである。充放電装置１は、ユーザがスケジュールを充放電装置１に入力するための入力部４を更に有する。例えば、入力部４はタッチパネルによって実現される。ユーザは、入力部４を用いてスケジュールを充放電装置１に入力する。スケジュール受付部３は、ユーザが充放電装置１に入力したスケジュールを受け付ける。充放電装置１は、スケジュール受付部３が受け付けたスケジュールを記憶する記憶部５を更に有する。例えば、記憶部５は半導体メモリによって実現される。
【００１３】
充放電装置１は、充放電装置１の外部の制御装置５３から出力される指令を受け取る指令受取部６を更に有する。図１には、制御装置５３も示されている。上記の指令は、蓄電池５２の充電と放電とのうちの一方又は双方についての運転に関連する指令である。上記の運転は、電力変換部２によって行われる。記憶部５は、指令受取部６が受け取った指令も記憶する。
【００１４】
充放電装置１は、スケジュール受付部３によって受け付けられるスケジュールをもとに運転を制御する機能と、指令受取部６によって受け取られる指令をもとに運転を制御する機能とを有する制御部７を更に有する。制御部７は、運転を制御する場合、電力変換部２を制御する。運転は、蓄電池５２の充電と放電とのうちの一方又は双方についての電力変換部２によって行われる運転である。
【００１５】
充放電装置１は、指令受取部６によって受け取られる指令を有効とする指示である有効指示、又は指令受取部６によって受け取られる指令を無効とする指示である無効指示を受け付ける有効無効受付部８を更に有する。有効指示及び無効指示は、ユーザが充放電装置１に入力する指示である。ユーザは、入力部４を用いて有効指示又は無効指示を充放電装置１に入力する。有効無効受付部８は、ユーザが充放電装置１に入力した有効指示又は無効指示を受け付ける。記憶部５は、有効無効受付部８が受け付けた有効指示又は無効指示も記憶する。
【００１６】
充放電装置１は、スケジュール受付部３によって受け付けられるスケジュールと指令受取部６によって受け取られる指令とのうちのいずれを優先するのかを示す指示を受け付ける優先受付部９を更に有する。ユーザは、入力部４を用いてスケジュールと指令とのうちのいずれを優先するのかを示す指示を充放電装置１に入力する。優先受付部９は、ユーザが充放電装置１に入力したスケジュールと指令とのうちのいずれを優先するのかを示す指示を受け付ける。記憶部５は、優先受付部９が受け付けた指示も記憶する。
【００１７】
充放電装置１は、運転の状態を管理する管理部１０を更に有する。管理部１０は、過去の運転の状態と、現在の運転の状態とを管理する。記憶部５は、管理部１０によって管理される運転の状態を示す情報を記憶する。充放電装置１は、有効無効受付部８によって受け付けられた指示が有効指示と無効指示とのうちのいずれであるのかを判断し、優先受付部９によって受け付けられた指示がスケジュールと指令とのうちのいずれを優先する指示であるのかを判断する判断部１１を更に有する。判断部１１は、管理部１０によって管理される運転の状態が指令受取部６によって受け取られた指令をもとに行われている運転の状態であるか否かを判断する機能も有する。
【００１８】
判断部１１は、有効無効受付部８によって受け付けられた指示が有効指示であって、優先受付部９によって受け付けられた指示がスケジュールを優先する指示であって、現在の運転の状態が指令をもとに行われている運転の状態でないと判断した場合、スケジュール受付部３によって受け付けられるスケジュールが有効であると判断する。判断部１１は、有効無効受付部８によって受け付けられた指示が有効指示であって、優先受付部９によって受け付けられた指示がスケジュールを優先する指示であって、前回の運転の状態がスケジュールをもとに行われた運転の状態であったと判断した場合、スケジュール受付部３によって受け付けられるスケジュールが有効であると判断する。制御部７は、スケジュールが有効であると判断部１１によって判断された場合、スケジュール受付部３が受け付けたスケジュールをもとに運転を制御する。
【００１９】
判断部１１は、有効無効受付部８によって受け付けられた指示が有効指示であって、優先受付部９によって受け付けられた指示がスケジュールを優先する指示であって、現在の運転の状態がスケジュール受付部３によって受け付けられたスケジュールをもとに行われている運転の状態であると判断した場合、スケジュールが無効であると判断する。判断部１１は、有効無効受付部８によって受け付けられた指示が有効指示であって、優先受付部９によって受け付けられた指示がスケジュールを優先する指示であって、現在の運転の状態がスケジュール受付部３によって受け付けられたスケジュールをもとに行われている運転の状態でないと判断した場合、スケジュールが有効であると判断する。
【００２０】
判断部１１は、有効無効受付部８によって受け付けられた指示が有効指示であって、優先受付部９によって受け付けられた指示が指令を優先する指示であると判断した場合、スケジュールが有効であると判断する。判断部１１は、有効無効受付部８によって受け付けられた指示が無効指示であると判断した場合、スケジュールが有効であると判断する。判断部１１は、上述の機能以外の機能を有する。判断部１１が有する上述の機能以外の機能については、後に充放電装置１の動作を説明する際に説明する。
【００２１】
制御部７は、スケジュールが有効であると判断部１１によって判断された場合、スケジュール受付部３によって受け付けられたスケジュールをもとに運転を制御する。
【００２２】
充放電装置１は、有効無効受付部８が受け付ける指示と優先受付部９が受け付ける指示とを充放電装置１に入力するユーザを制限する制限部１２を更に有する。例えば、ユーザには充放電装置１に指示を入力する場合にパスワードを充放電装置１に入力することが要求されていて、制限部１２は、入力されたパスワードをもとに、有効無効受付部８が受け付ける指示と優先受付部９が受け付ける指示とを充放電装置１に入力するユーザを制限する。更に言うと、制限部１２は、入力されたパスワードが充放電装置１にあらかじめ登録されているパスワードである場合にのみ、有効無効受付部８及び優先受付部９に対して、入力された指示を受け付けることを許可する。
【００２３】
充放電装置１は、上記のスケジュールとは別の、運転に関連するユーザの操作を受け付ける操作受付部１３を更に有する。例えば、操作受付部１３が受け付ける操作は、運転を開始させる操作、運転を停止させる操作、スケジュールをもとにする運転から指令をもとにする運転への変更を行わせる操作、又は、指令をもとにする運転からスケジュールをもとにする運転への変更を行わせる操作である。ユーザは、入力部４に対して、スケジュールとは別の、運転に関連する操作を行う。操作受付部１３は、ユーザが入力部４に対して行った操作を受け付ける。制御部７は、操作受付部１３が受け付けた操作をもとに運転を制御する。記憶部５は、操作受付部１３が受け付けた操作をもとにする運転の状態を示す情報も記憶する。
【００２４】
次に、実施の形態１にかかる充放電装置１の動作の一部を説明する。図２は、実施の形態１にかかる充放電装置１が行う動作の一部の手順を示す第１のフローチャートである。スケジュール受付部３がスケジュールを受け付けたことを想定する。判断部１１は、有効無効受付部８によって受け付けられた指示が有効指示であるか否かを判断する（Ｓ１）。
【００２５】
判断部１１は、有効無効受付部８によって受け付けられた指示が有効指示であると判断した場合（Ｓ１でＹｅｓ）、優先受付部９によって受け付けられた指示がスケジュールを優先する指示であるか否かを判断する（Ｓ２）。判断部１１は、優先受付部９によって受け付けられた指示がスケジュールを優先する指示であると判断した場合（Ｓ２でＹｅｓ）、現在の運転の状態が指令受取部６によって受け取られた指令をもとに行われている運転の状態であるか否かを判断する（Ｓ３）。
【００２６】
判断部１１は、現在の運転の状態が指令をもとに行われている運転の状態であると判断した場合（Ｓ３でＹｅｓ）、スケジュール受付部３によって受け付けられたスケジュールが無効であると判断する（Ｓ４）。制御部７は、指令をもとに運転を制御する。
【００２７】
判断部１１は、現在の運転の状態がスケジュール受付部３によって受け付けられたスケジュールをもとに行われている運転の状態であると判断した場合（Ｓ３でＮｏ）、スケジュール受付部３によって受け付けられたスケジュールが有効であると判断する（Ｓ５）。制御部７は、スケジュール受付部３が受け付けたスケジュールをもとに運転を制御する。
【００２８】
判断部１１は、優先受付部９によって受け付けられた指示が指令を優先する指示であると判断した場合（Ｓ２でＮｏ）、スケジュール受付部３によって受け付けられたスケジュールが無効であると判断する（Ｓ４）。制御部７は、指令をもとに運転を制御する。
【００２９】
判断部１１は、有効無効受付部８によって受け付けられた指示が無効指示であると判断した場合（Ｓ１でＮｏ）、スケジュール受付部３によって受け付けられたスケジュールが有効であると判断する（Ｓ５）。制御部７は、スケジュール受付部３が受け付けたスケジュールをもとに運転を制御する。
【００３０】
図３は、実施の形態１にかかる充放電装置１が行う動作の一部の手順を示す第２のフローチャートである。指令受取部６が運転を停止させる指令を受け取ったことを想定する。判断部１１は、有効無効受付部８によって受け付けられた指示が有効指示であるか否かを判断する（Ｓ１１）。
【００３１】
判断部１１は、有効無効受付部８によって受け付けられた指示が有効指示であると判断した場合（Ｓ１１でＹｅｓ）、優先受付部９によって受け付けられた指示がスケジュールを優先する指示であるか否かを判断する（Ｓ１２）。判断部１１は、優先受付部９によって受け付けられた指示がスケジュールを優先する指示であると判断した場合（Ｓ１２でＹｅｓ）、前回の運転の状態がスケジュール受付部３によって受け付けられたスケジュールをもとに行われた運転の状態であったか否かを判断する（Ｓ１３）。
【００３２】
判断部１１は、前回の運転の状態がスケジュール受付部３によって受け付けられたスケジュールをもとに行われた運転の状態であったと判断した場合（Ｓ１３でＹｅｓ）、スケジュールが有効であると判断する（Ｓ１４）。制御部７は、スケジュールをもとに運転を制御する。
【００３３】
判断部１１は、前回の運転の状態がスケジュール受付部３によって受け付けられたスケジュールをもとに行われた運転の状態でなかったと判断した場合（Ｓ１３でＮｏ）、指令が有効であると判断する（Ｓ１５）。制御部７は、指令をもとに運転を停止させる。
【００３４】
判断部１１は、優先受付部９によって受け付けられた指示が指令を優先する指示であると判断した場合（Ｓ１２でＮｏ）、指令が有効であると判断する（Ｓ１５）。制御部７は、指令をもとに運転を停止させる。
【００３５】
判断部１１は、有効無効受付部８によって受け付けられた指示が無効指示であると判断した場合（Ｓ１１でＮｏ）、スケジュール受付部３が受け付けたスケジュールが有効であると判断する（Ｓ１４）。制御部７は、スケジュール受付部３が受け付けたスケジュールをもとに運転を制御する。
【００３６】
図４は、実施の形態１にかかる充放電装置１が行う動作の一部の手順を示す第３のフローチャートである。指令受取部６が充電又は放電についての運転に関連する指令を受け取ったことを想定する。判断部１１は、有効無効受付部８によって受け付けられた指示が有効指示であるか否かを判断する（Ｓ２１）。
【００３７】
判断部１１は、有効無効受付部８によって受け付けられた指示が有効指示であると判断した場合（Ｓ２１でＹｅｓ）、優先受付部９によって受け付けられた指示がスケジュールを優先する指示であるか否かを判断する（Ｓ２２）。判断部１１は、優先受付部９によって受け付けられた指示がスケジュールを優先する指示であると判断した場合（Ｓ２２でＹｅｓ）、現在の運転の状態がスケジュール受付部３によって受け付けられたスケジュールをもとに行われている運転の状態であるか否かを判断する（Ｓ２３）。
【００３８】
判断部１１は、現在の運転の状態がスケジュール受付部３によって受け付けられたスケジュールをもとに行われている運転の状態であると判断した場合（Ｓ２３でＹｅｓ）、指令が有効であると判断する（Ｓ２４）。制御部７は、指令をもとに運転を制御する。
【００３９】
判断部１１は、現在の運転の状態がスケジュール受付部３によって受け付けられたスケジュールをもとに行われている運転の状態でないと判断した場合（Ｓ２３でＮｏ）、指令が無効であると判断する（Ｓ２５）。制御部７は、ステップＳ２５において指令が無効であると判断部１１によって判断された場合、運転を停止させる。
【００４０】
判断部１１は、優先受付部９によって受け付けられた指示が指令を優先する指示であると判断した場合（Ｓ２２でＮｏ）、指令が有効であると判断する（Ｓ２４）。制御部７は、指令をもとに運転を制御する。
【００４１】
判断部１１は、有効無効受付部８によって受け付けられた指示が無効指示であると判断した場合（Ｓ２１でＮｏ）、指令が無効であると判断する（Ｓ２６）。制御部７は、ステップＳ２６において指令が無効であると判断部１１によって判断された場合、スケジュール受付部３によって受け付けられたスケジュールをもとに運転を制御する。
【００４２】
実施の形態１にかかる充放電装置１は、図２を用いて説明した通り、有効無効受付部８によって受け付けられた指示が有効指示であって、優先受付部９によって受け付けられた指示がスケジュールを優先する指示であって、現在の運転の状態が指令をもとに行われている運転の状態でないと判断した場合、スケジュール受付部３によって受け付けられるスケジュールが有効であると判断する。充放電装置１は、図３を用いて説明した通り、有効無効受付部８によって受け付けられた指示が有効指示であって、優先受付部９によって受け付けられた指示がスケジュールを優先する指示であって、前回の運転の状態がスケジュールをもとに行われた運転の状態であったと判断した場合、スケジュール受付部３によって受け付けられるスケジュールが有効であると判断する。充放電装置１は、スケジュールが有効であると判断した場合、スケジュール受付部３が受け付けたスケジュールをもとに運転を制御する。したがって、充放電装置１は、スケジュールと指令とについての優先順位と現在又は前回の運転の状況とをもとにスケジュールを有効にするか無効にするかを判断して動作することができる。
【００４３】
実施の形態１にかかる充放電装置１は、図４を用いて説明した通り、有効無効受付部８によって受け付けられた指示と、優先受付部９によって受け付けられた指示と、現在の運転の状況とをもとに、指令が有効であるか無効であるかを判断して動作する。したがって、充放電装置１は、スケジュールと指令とについての優先順位と現在又は前回の運転の状況とをもとに指令を有効にするか無効にするかを判断して動作することができる。
【００４４】
更に言うと、図２から図４を用いて説明した通り、実施の形態１にかかる充放電装置１は、複数の状況の各々について、スケジュールと指令とについての優先順位と現在又は前回の運転の状況とをもとに、スケジュールを有効にするか無効にするかを判断して、又は、指令を有効にするか無効にするかを判断して動作する。制御装置５３が２個存在する場合、複数の状況の各々と２個の制御装置５３の各々とが対応付けられていれば、充放電装置１は、２個の制御装置５３を区別して動作することができる。
【００４５】
実施の形態２．
まず、実施の形態２にかかる充放電装置１Ａの構成を説明する。図５は、実施の形態２にかかる充放電装置１Ａの構成を示す図である。充放電装置１Ａは、実施の形態１にかかる充放電装置１が有する電力変換部２、スケジュール受付部３、入力部４、記憶部５、指令受取部６、有効無効受付部８、優先受付部９、管理部１０、制限部１２及び操作受付部１３を有する。充放電装置１Ａは、充放電装置１が有する制御部７の替わりに制御部７Ａを有し、充放電装置１が有する判断部１１の替わりに判断部１１Ａを有する。充放電装置１Ａは、下限受付部１４と、量確認部１５とを更に有する。実施の形態２では、実施の形態１との相違点を主に説明する。
【００４６】
実施の形態２では、蓄電池５２は車両５４に搭載されている。判断部１１Ａは、有効無効受付部８によって受け付けられた指示が有効指示と無効指示とのうちのいずれであるのかを判断し、現在の運転の状態が操作受付部１３によって受け付けられたユーザの操作をもとに行われている運転の状態であるか否かを判断し、車両５４と充放電装置１Ａとが接続されているか否かを判断する。判断部１１Ａが車両５４と充放電装置１Ａとが接続されているか否かを判断する場合、管理部１０が車両５４との通信を試み、判断部１１Ａは、管理部１０が車両５４との通信の状態を判断し、通信の状態についての判断結果をもとに、車両５４と充放電装置１Ａとが接続されているか否かを判断する。更に言うと、判断部１１Ａは、管理部１０と車両５４との通信が行われる場合に車両５４と充放電装置１Ａとが接続されていると判断し、管理部１０と車両５４との通信が行われない場合に車両５４と充放電装置１Ａとが接続されていないと判断する。
【００４７】
判断部１１Ａは、指令受取部６が指令を受け取った後に、以下の判断を行う。判断部１１Ａは、有効無効受付部８によって受け付けられた指示が有効指示であって、現在の運転の状態がユーザの操作をもとに行われている運転の状態でなく、車両５４と充放電装置１Ａとが接続されていると判断した場合、指令が有効であると判断する。判断部１１Ａは、有効無効受付部８によって受け付けられた指示が有効指示であって、現在の運転の状態がユーザの操作をもとに行われている運転の状態でなく、車両５４と充放電装置１Ａとが接続されていないと判断した場合、指令が無効であると判断する。
【００４８】
判断部１１Ａは、有効無効受付部８によって受け付けられた指示が有効指示であって、現在の運転の状態がユーザの操作をもとに行われている運転の状態であると判断した場合、指令が無効であると判断する。判断部１１Ａは、有効無効受付部８によって受け付けられた指示が無効指示であると判断した場合、指令が無効であると判断する。
【００４９】
制御部７Ａは、指令が有効であると判断部１１Ａによって判断された場合、指令受取部６が受け取った指令をもとに運転を制御する。制御部７Ａは、指令が無効であって現在の運転の状態がユーザの操作をもとに行われている運転の状態であると判断部１１Ａによって判断された場合、ユーザの操作をもとに行われている運転を継続させる。制御部７Ａは、指令が無効であって現在の運転の状態がスケジュール受付部３によって受け付けられたスケジュールをもとに行われている運転の状態であると判断部１１Ａによって判断された場合、スケジュールをもとに行われている運転を継続させる。制御部７Ａは、指令が無効であって現在の運転の状態が停止の状態であると判断部１１Ａによって判断された場合、運転を停止させる。
【００５０】
下限受付部１４は、蓄電池５２が蓄えておく必要がある電力の下限を示す情報を受け付ける。ユーザは、入力部４を用いて、蓄電池５２が蓄えておく必要がある電力の下限を示す情報を充放電装置１Ａに入力する。有効無効受付部８は、ユーザが充放電装置１Ａに入力した情報を受け付ける。記憶部５は、下限受付部１４が受け付けた情報も記憶する。
【００５１】
量確認部１５は、蓄電池５２が蓄えている電力の量を確認する。具体的には、管理部１０が車両５４と通信を行って蓄電池５２が蓄えている電力の量を示す情報を取得し、量確認部１５は管理部１０によって取得された情報をもとに蓄電池５２が蓄えている電力の量を確認する。制御部７Ａは、指令をもとに放電についての運転が行われている場合、量確認部１５によって確認された量が下限受付部１４によって受け付けられた情報が示す下限以下である場合、指令をもとにする運転を停止させる。
【００５２】
次に、実施の形態２にかかる充放電装置１Ａの動作の一部を説明する。図６は、実施の形態２にかかる充放電装置１Ａが行う動作の一部の手順を示す第１のフローチャートである。指令受取部６が充電又は放電についての運転に関連する指令を受け取ったことを想定する。判断部１１Ａは、有効無効受付部８によって受け付けられた指示が有効指示であるか否かを判断する（Ｓ３１）。
【００５３】
判断部１１Ａは、有効無効受付部８によって受け付けられた指示が有効指示であると判断した場合（Ｓ３１でＹｅｓ）、現在の運転の状態がユーザの操作をもとに行われている運転の状態であるか否かを判断する（Ｓ３２）。判断部１１Ａは、現在の運転の状態がユーザの操作をもとに行われている運転の状態であると判断した場合（Ｓ３２でＹｅｓ）、指令が無効であると判断する（Ｓ３３）。
【００５４】
判断部１１Ａは、現在の運転の状態がユーザの操作をもとに行われている運転の状態でないと判断した場合（Ｓ３２でＮｏ）、車両５４と充放電装置１Ａとが接続されているか否かを判断する（Ｓ３４）。判断部１１Ａは、車両５４と充放電装置１Ａとが接続されていると判断した場合（Ｓ３４でＹｅｓ）、指令が有効であると判断する（Ｓ３５）。制御部７Ａは、指令受取部６が受け取った指令をもとに運転を制御する。
【００５５】
判断部１１Ａは、車両５４と充放電装置１Ａとが接続されていないと判断した場合（Ｓ３４でＮｏ）、指令が無効であると判断する（Ｓ３３）。判断部１１Ａは、有効無効受付部８によって受け付けられた指示が無効指示であると判断した場合（Ｓ３１でＮｏ）、指令が無効であると判断する（Ｓ３３）。
【００５６】
制御部７Ａは、指令が無効であって現在の運転の状態がユーザの操作をもとに行われている運転の状態であると判断部１１Ａによって判断された場合、ユーザの操作をもとに行われている運転を継続させる。制御部７Ａは、指令が無効であって現在の運転の状態がスケジュール受付部３によって受け付けられたスケジュールをもとに行われている運転の状態であると判断部１１Ａによって判断された場合、スケジュールをもとに行われている運転を継続させる。制御部７Ａは、指令が無効であって運転の状態が停止の状態であると判断部１１Ａによって判断された場合、運転を停止させる。
【００５７】
図７は、実施の形態２にかかる充放電装置１Ａが行う動作の一部の手順を示す第２のフローチャートである。充放電装置１Ａが指令受取部６によって受け取られた指令をもとに放電についての運転を行っている状況を想定する。量確認部１５は、蓄電池５２が蓄えている電力の量を確認する（Ｓ４１）。判断部１１Ａは、量確認部１５によって確認された量が下限受付部１４によって受け付けられた情報が示す下限以下であるか否かを判断する（Ｓ４２）。
【００５８】
制御部７Ａは、量確認部１５によって確認された量が下限受付部１４によって受け付けられた情報が示す下限以下であると判断部１１Ａによって判断された場合（Ｓ４２でＹｅｓ）、運転状態が放電であるか否かを判断する（Ｓ４３）。すなわち、ステップＳ４３において、制御部７Ａは、放電動作中であるか否かを判断する。制御部７Ａは、運転状態が放電であると判断した場合（Ｓ４３でＹｅｓ）、指令を無効にし、指令をもとにする運転を停止させる（Ｓ４４）。つまり、制御部７Ａは、放電についての運転を停止させる。制御部７Ａは、量確認部１５によって確認された量が下限受付部１４によって受け付けられた情報が示す下限より多いと判断部１１Ａによって判断された場合（Ｓ４２でＮｏ）、及び、運転状態が放電でないと判断した場合（Ｓ４３でＮｏ）、指令を有効にし、指令をもとにする運転を継続させる（Ｓ４５）。つまり、制御部７Ａは、放電についての運転を継続させる。
【００５９】
実施の形態２にかかる充放電装置１Ａは、図６を用いて説明した通り、有効無効受付部８によって受け付けられた指示と、現在の運転の状況とをもとに、指令が有効であるか無効であるかを判断して動作する。したがって、充放電装置１Ａは、現在又は前回の運転の状況をもとに指令を有効にするか無効にするかを判断して動作することができる。
【００６０】
実施の形態２にかかる充放電装置１Ａは、図７を用いて説明した通り、量確認部１５によって確認された量が下限受付部１４によって受け付けられた情報が示す下限以下であって、かつ運転状態が放電であると判断した場合、放電についての運転を停止する。したがって、充放電装置１Ａは、蓄電池５２が蓄える電力の量が、蓄電池５２が蓄えておく必要がある電力の下限より少なくなることを抑制することができる。車両５４が走行する場合に必要な量が下限に設定されると、充放電装置１Ａは、車両５４が走行することができない状況を抑制することができる。
【００６１】
図８は、実施の形態１にかかる充放電装置１が有する電力変換部２、スケジュール受付部３、入力部４、指令受取部６、制御部７、有効無効受付部８、優先受付部９、管理部１０、判断部１１、制限部１２及び操作受付部１３の少なくとも一部がプロセッサ８１によって実現される場合のプロセッサ８１を示す図である。つまり、電力変換部２、スケジュール受付部３、入力部４、指令受取部６、制御部７、有効無効受付部８、優先受付部９、管理部１０、判断部１１、制限部１２及び操作受付部１３の少なくとも一部の機能は、メモリ８２に格納されるプログラムを実行するプロセッサ８１によって実現されてもよい。プロセッサ８１は、ＣＰＵ（Central  Processing  Unit）、処理装置、演算装置、マイクロプロセッサ、又はＤＳＰ（Digital  Signal  Processor）である。図８には、メモリ８２も示されている。
【００６２】
電力変換部２、スケジュール受付部３、入力部４、指令受取部６、制御部７、有効無効受付部８、優先受付部９、管理部１０、判断部１１、制限部１２及び操作受付部１３の少なくとも一部の機能がプロセッサ８１によって実現される場合、当該一部の機能は、プロセッサ８１と、ソフトウェア、ファームウェア、又は、ソフトウェア及びファームウェアとの組み合わせにより実現される。ソフトウェア又はファームウェアは、プログラムとして記述され、メモリ８２に格納される。プロセッサ８１は、メモリ８２に記憶されたプログラムを読み出して実行することにより、電力変換部２、スケジュール受付部３、入力部４、指令受取部６、制御部７、有効無効受付部８、優先受付部９、管理部１０、判断部１１、制限部１２及び操作受付部１３の少なくとも一部の機能を実現する。
【００６３】
電力変換部２、スケジュール受付部３、入力部４、指令受取部６、制御部７、有効無効受付部８、優先受付部９、管理部１０、判断部１１、制限部１２及び操作受付部１３の少なくとも一部の機能がプロセッサ８１によって実現される場合、充放電装置１は、電力変換部２、スケジュール受付部３、入力部４、指令受取部６、制御部７、有効無効受付部８、優先受付部９、管理部１０、判断部１１、制限部１２及び操作受付部１３によって実行されるステップの少なくとも一部が結果的に実行されることになるプログラムを格納するためのメモリ８２を有する。メモリ８２に格納されるプログラムは、電力変換部２、スケジュール受付部３、入力部４、指令受取部６、制御部７、有効無効受付部８、優先受付部９、管理部１０、判断部１１、制限部１２及び操作受付部１３が実行する手順又は方法の少なくとも一部をコンピュータに実行させるものであるともいえる。
【００６４】
メモリ８２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００６５】
図９は、実施の形態１にかかる充放電装置１が有する電力変換部２、スケジュール受付部３、入力部４、指令受取部６、制御部７、有効無効受付部８、優先受付部９、管理部１０、判断部１１、制限部１２及び操作受付部１３の少なくとも一部が処理回路９１によって実現される場合の処理回路９１を示す図である。つまり、電力変換部２、スケジュール受付部３、入力部４、指令受取部６、制御部７、有効無効受付部８、優先受付部９、管理部１０、判断部１１、制限部１２及び操作受付部１３の少なくとも一部は、処理回路９１によって実現されてもよい。
【００６６】
処理回路９１は、専用のハードウェアである。処理回路９１は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。
【００６７】
電力変換部２、スケジュール受付部３、入力部４、指令受取部６、制御部７、有効無効受付部８、優先受付部９、管理部１０、判断部１１、制限部１２及び操作受付部１３の一部は、残部とは別個の専用のハードウェアであってもよい。
【００６８】
電力変換部２、スケジュール受付部３、入力部４、指令受取部６、制御部７、有効無効受付部８、優先受付部９、管理部１０、判断部１１、制限部１２及び操作受付部１３の複数の機能について、当該複数の機能の一部がソフトウェア又はファームウェアで実現され、当該複数の機能の残部が専用のハードウェアで実現されてもよい。このように、電力変換部２、スケジュール受付部３、入力部４、指令受取部６、制御部７、有効無効受付部８、優先受付部９、管理部１０、判断部１１、制限部１２及び操作受付部１３の複数の機能は、ハードウェア、ソフトウェア、ファームウェア、又はこれらの組み合わせによって実現することができる。
【００６９】
実施の形態２にかかる充放電装置１Ａが有する電力変換部２、スケジュール受付部３、入力部４、指令受取部６、制御部７Ａ、有効無効受付部８、優先受付部９、管理部１０、判断部１１Ａ、制限部１２、操作受付部１３、下限受付部１４及び量確認部１５の少なくとも一部の機能は、メモリに格納されるプログラムを実行するプロセッサによって実現されてもよい。当該メモリは、電力変換部２、スケジュール受付部３、入力部４、指令受取部６、制御部７Ａ、有効無効受付部８、優先受付部９、管理部１０、判断部１１Ａ、制限部１２、操作受付部１３、下限受付部１４及び量確認部１５によって実行されるステップの少なくとも一部が結果的に実行されることになるプログラムを格納するためのメモリであって、メモリ８２と同様のメモリである。当該プロセッサは、プロセッサ８１と同様のプロセッサである。
【００７０】
実施の形態２にかかる充放電装置１Ａが有する電力変換部２、スケジュール受付部３、入力部４、指令受取部６、制御部７Ａ、有効無効受付部８、優先受付部９、管理部１０、判断部１１Ａ、制限部１２、操作受付部１３、下限受付部１４及び量確認部１５の少なくとも一部の機能は、処理回路によって実現されてもよい。当該処理回路は、処理回路９１と同様の処理回路である。
【００７１】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略又は変更することも可能である。
【符号の説明】
【００７２】
１，１Ａ  充放電装置、２  電力変換部、３  スケジュール受付部、４  入力部、５  記憶部、６  指令受取部、７，７Ａ  制御部、８  有効無効受付部、９  優先受付部、１０  管理部、１１，１１Ａ  判断部、１２  制限部、１３  操作受付部、１４  下限受付部、１５  量確認部、２１  インバータ、２２  コンバータ、５１  電力系統、５２  蓄電池、５３  制御装置、５４  車両、８１  プロセッサ、８２  メモリ、９１  処理回路。
【要約】
充放電装置（１）は、蓄電池（５２）の充電と放電とのうちの一方又は双方についての運転のスケジュールであってユーザが充放電装置（１）に入力するスケジュールを受け付けるスケジュール受付部（３）と、制御装置（５３）から出力される運転に関連する指令を受け取る指令受取部（６）と、指令を有効とする指示である有効指示又は指令を無効とする指示である無効指示を受け付ける有効無効受付部（８）と、スケジュールと指令とのうちのいずれを優先するのかを示す指示を受け付ける優先受付部（９）と、判断部（１１）とを有する。判断部（１１）は、有効無効受付部（８）によって受け付けられた指示が有効指示であって、優先受付部（９）によって受け付けられた指示がスケジュールを優先する指示であって、現在の運転の状態が指令をもとに行われている運転の状態でないと判断した場合、スケジュールが有効であると判断する。【図１】
0006804711.tif 000002
【図２】
0006804711.tif 000003
【図３】
0006804711.tif 000004
【図４】
0006804711.tif 000005
【図５】
0006804711.tif 000006
【図６】
0006804711.tif 000007
【図７】
0006804711.tif 000008
【図８】
0006804711.tif 000009
【図９】
0006804711.tif 000010